(57)【要約】【課題】尿の如き液状の排泄物の吸収率を高める使用が可能であることを維持しながら、装着者等が当該吸収性物品の表面シート側から排泄物を容易に視認することが可能となる、吸収性物品、及びおむつを提供すること。【解決手段】吸収性物品１０は、装着者の肌と当接する表面シート２０と、表面シート２０における装着者の肌と当接する側とは反対側に配置された裏面シート３０と、表面シート２０と裏面シート３０との相互間に設けられた吸収体４０と、表面シート２０と吸収体４０との相互間に設けられた有色部材５０ａ、５０ｂであって、装着者が当該有色部材５０ａ、５０ｂを当該表面シート２０を介して視認可能となるように、表面シート２０の色とは異なる色の有色部材５０ａ、５０ｂと、を備えている。【選択図】図１
2014000143.tif 000002
【特許請求の範囲】
【請求項１】
装着者の肌と当接する表面シートと、
前記表面シートにおける前記装着者の肌と当接する側とは反対側に配置された裏面シートと、
前記表面シートと前記裏面シートとの相互間に設けられた吸収体と、
前記表面シートと前記吸収体との相互間に設けられた有色部材であって、前記装着者が当該有色部材を当該表面シートを介して視認可能となるように、前記表面シートの色とは異なる色の有色部材と、
を備える吸収性物品。
【請求項２】
平面形状が長尺状に形成された吸収性物品であって、
前記有色部材が、前記吸収体における当該吸収性物品の短手方向の両端部を略覆うように、当該有色部材を一対配置した、
請求項１に記載の吸収性物品。
【請求項３】
前記裏面シートにおける前記吸収体と対向する側とは反対側の側面に、当該吸収性物品をおむつに止着させるための止着手段を設け、
前記止着手段における当該吸収性物品の短手方向に沿った方向の長さが、前記一対の有色部材の相互間の長さと略同一になるように、前記止着手段を形成し、
前記止着手段における当該吸収性物品の短手方向に沿った方向の端部の一方が、前記一対の有色部材の一方における内側端部と前記裏面シートに略直交する方向に沿って対応する位置になると共に、前記止着手段における当該吸収性物品の短手方向に沿った方向の端部の他方が、前記一対の有色部材の他方における内側端部と前記裏面シートに略直交する方向に沿って対応する位置になるように、前記止着手段を前記裏面シートに配置した、
請求項２に記載の吸収性物品。
【請求項４】
前記吸収体の一方の側面に、前記一対の有色部材を設け、
前記吸収体の他方の側面に、前記裏面シートを設け、
前記裏面シートは、
前記吸収体に重ね合わせた第１部分と、
前記一対の有色部材の一方よりも前記吸収体側とは反対側に設けられた第２部分であって、前記一対の有色部材の一方の一部と平行状に隣接する第２部分と、
前記一対の有色部材の他方よりも前記吸収体側とは反対側に設けられた第３部分であって、前記一対の有色部材の他方の一部と平行状に隣接する第３部分と、を備え、
前記第２部分及び第３部分よりも前記一対の有色部材側とは反対側において、前記第２部分及び第３部分と平行状に隣接するように、前記表面シートを設け、
前記第１部分における前記吸収体と対向する側面とは反対側の側面に、前記止着手段を設けた、
請求項３に記載の吸収性物品。
【請求項５】
平面形状が長尺状に形成された吸収性物品であって、
前記有色部材が、前記吸収体における当該吸収性物品の長手方向の両端部を略覆うように、当該有色部材を一対配置した、
請求項１に記載の吸収性物品。
【請求項６】
前記有色部材が前記吸収体の平面中央部以外の部分を略覆うように、当該有色部材を配置した、
請求項１に記載の吸収性物品。
【請求項７】
前記有色部材を、親水性不織布、紙、又は、弾性部材にて形成した、
請求項１から６のいずれか一項に記載の吸収性物品。
【請求項８】
平面形状が長尺状に形成された吸収性物品であって、
前記表面シートの一部と前記表面シートの他の一部とが相互に対向するように、当該吸収性物品を、当該吸収性物品における短手方向に沿った中心軸に沿って折り曲げて形成した、
請求項１から７のいずれか一項に記載の吸収性物品。
【請求項９】
前記装着者が当該吸収性物品のいずれか一つの端部の位置を特定可能となるように、前記有色部材における当該吸収性物品の中央から当該吸収性物品のいずれか一つの端部側の部分の少なくとも一部を、他の部分とは異なる色とした、
請求項１から８のいずれか一項に記載の吸収性物品。
【請求項１０】
請求項１から９のいずれか一項に記載の吸収性物品を備えたおむつ。
【発明の詳細な説明】
【技術分野】
【０００１】
本発明は、吸収性物品、及びおむつに関する。
【背景技術】
【０００２】
従来から、装着者（例えば乳幼児、障害者、高齢者等）から排泄される排泄物（例えば尿や便等）を捕捉するために、おむつと組み合わせて着用する吸収性物品が用いられている。例えば、特許文献１には、装着者が尿道口の位置合わせを容易に行うことができる吸収性物品が開示されている。
【０００３】
具体的には、この吸収性物品は、肌当接面を形成する表面シートと、非肌当接面を形成する裏面シートと、これら表面シートと裏面シートとの間に配置された複数の吸収体とを備えている。そして、この複数の吸収体は、所定の隙間を介して吸収性物品の幅方向に沿って並設されている。また、この裏面シートは、装着者が吸収性物品の表面シート側から上記所定の隙間を介して裏面シートを視認できる色で彩色されている。このような構成により、装着者がこの吸収性物品が取り付けられたおむつを装着する際に、この装着者は、表面シート側から上記所定の隙間を介して視認可能な裏面シートの色を目印として、尿道口の位置合わせを容易に行うことができる。よって、例えば、吸収性物品の吸収率の高い部位に尿道口の位置をあわせることで、尿の吸収率を高めることができるように、吸収性物品を使用することが可能となる。
【先行技術文献】
【特許文献】
【０００４】
【特許文献１】特開２０１１−１３０７９８号公報
【発明の概要】
【発明が解決しようとする課題】
【０００５】
しかしながら、上述した従来の吸収性物品においては、装着者又は装着者以外の者（以下、装着者等と称する）が吸収性物品の表面シート側から排泄物を視認することが困難であったため、以下のような問題が生じていた。具体的には、吸収性物品全体に尿が拡散した場合に、表面シートにおける上記所定の隙間に対応する部分についた尿の色が、上記所定の隙間を介して視認可能な裏面シートの色によって見えづらくなるので、尿の色に基づく健康判断を正確に行うことが困難になるという問題があった。
【０００６】
本発明は、上記に鑑みてなされたものであって、尿の如き液状の排泄物の吸収率を高める使用が可能であることを維持しながら、装着者等が当該吸収性物品の表面シート側から排泄物を容易に視認することが可能となる、吸収性物品、及びおむつを提供することを目的とする。
【課題を解決するための手段】
【０００７】
上述した課題を解決し、目的を達成するために、請求項１に記載の吸収性物品は、装着者の肌と当接する表面シートと、前記表面シートにおける前記装着者の肌と当接する側とは反対側に配置された裏面シートと、前記表面シートと前記裏面シートとの相互間に設けられた吸収体と、前記表面シートと前記吸収体との相互間に設けられた有色部材であって、前記装着者が当該有色部材を当該表面シートを介して視認可能となるように、前記表面シートの色とは異なる色の有色部材とを備えている。
【０００８】
また、請求項２に記載の吸収性物品は、請求項１に記載の吸収性物品において、平面形状が長尺状に形成された吸収性物品であって、前記有色部材が、前記吸収体における当該吸収性物品の短手方向の両端部を略覆うように、当該有色部材を一対配置している。
【０００９】
また、請求項３に記載の吸収性物品は、請求項２に記載の吸収性物品において、前記裏面シートにおける前記吸収体と対向する側とは反対側の側面に、当該吸収性物品をおむつに止着させるための止着手段を設け、前記止着手段における当該吸収性物品の短手方向に沿った方向の長さが、前記一対の有色部材の相互間の長さと略同一になるように、前記止着手段を形成し、前記止着手段における当該吸収性物品の短手方向に沿った方向の端部の一方が、前記一対の有色部材の一方における内側端部と前記裏面シートに略直交する方向に沿って対応する位置になると共に、前記止着手段における当該吸収性物品の短手方向に沿った方向の端部の他方が、前記一対の有色部材の他方における内側端部と前記裏面シートに略直交する方向に沿って対応する位置になるように、前記止着手段を前記裏面シートに配置している。
【００１０】
また、請求項４に記載の吸収性物品は、請求項３に記載の吸収性物品において、前記吸収体の一方の側面に、前記一対の有色部材を設け、前記吸収体の他方の側面に、前記裏面シートを設け、前記裏面シートは、前記吸収体に重ね合わせた第１部分と、前記一対の有色部材の一方よりも前記吸収体側とは反対側に設けられた第２部分であって、前記一対の有色部材の一方の一部と平行状に隣接する第２部分と、前記一対の有色部材の他方よりも前記吸収体側とは反対側に設けられた第３部分であって、前記一対の有色部材の他方の一部と平行状に隣接する第３部分と、を備え、前記第２部分及び第３部分よりも前記一対の有色部材側とは反対側において、前記第２部分及び第３部分と平行状に隣接するように、前記表面シートを設け、前記第１部分における前記吸収体と対向する側面とは反対側の側面に、前記止着手段を設けている。
【００１１】
また、請求項５に記載の吸収性物品は、請求項１に記載の吸収性物品において、平面形状が長尺状に形成された吸収性物品であって、前記有色部材が、前記吸収体における当該吸収性物品の長手方向の両端部を略覆うように、当該有色部材を一対配置している。
【００１２】
また、請求項６に記載の吸収性物品は、請求項１に記載の吸収性物品において、前記有色部材が前記吸収体の平面中央部以外の部分を略覆うように、当該有色部材を配置している。
【００１３】
また、請求項７に記載の吸収性物品は、請求項１から６のいずれか一項に記載の吸収性物品において、前記有色部材を、親水性不織布、紙、又は、弾性部材にて形成している。
【００１４】
また、請求項８に記載の吸収性物品は、請求項１から７のいずれか一項に記載の吸収性物品において、平面形状が長尺状に形成された吸収性物品であって、前記表面シートの一部と前記表面シートの他の一部とが相互に対向するように、当該吸収性物品を、当該吸収性物品における短手方向に沿った中心軸に沿って折り曲げて形成している。
【００１５】
また、請求項９に記載の吸収性物品は、請求項１から８のいずれか一項に記載の吸収性物品において、前記装着者が当該吸収性物品のいずれか一つの端部の位置を特定可能となるように、前記有色部材における当該吸収性物品の中央から当該吸収性物品のいずれか一つの端部側の部分の少なくとも一部を、他の部分とは異なる色としている。
【００１６】
また、請求項１０に記載のおむつは、前記請求項１から９のいずれか一項に記載の吸収性物品を備えている。
【発明の効果】
【００１７】
請求項１に記載の吸収性物品、及び請求項１０に記載のおむつによれば、装着者等が有色部材を表面シートを介して視認可能となるように、当該有色部材が、表面シートの色とは異なる色で彩色されているので、装着者等は、吸収性物品の表面シート側から、有色部材を目印として、表面シートにおける装着者の排泄孔を当接させる部分とそうでない部分とを容易に識別することができる。よって、例えば、表面シートにおける装着者の排泄孔を当接させる部分が有色部材と対応していない場合には、液状の排泄物の吸収率を高める使用が可能であることを維持しながら、当該部分に付着された排泄物を容易に視認することができる。
【００１８】
また、請求項２に記載の吸収性物品によれば、一対の有色部材が、吸収体における当該吸収性物品の短手方向の両端部を略覆うので、例えば、装着者から排泄される液状の排泄物を吸収体における当該吸収性物品の短手方向の中央部に集中的に吸収させることができ、液状の排泄物の吸収率を高める使用が一層可能になる。
【００１９】
また、請求項３に記載の吸収性物品によれば、止着手段における当該吸収性物品の短手方向に沿った方向の長さを、一対の有色部材の相互間の長さと略同一とし、止着手段における当該吸収性物品の短手方向に沿った方向の両端部が、一対の有色部材における内側端部と対応する位置になるので、装着者等が止着手段を直に見ることができなくても、当該装着者等は、止着手段における当該吸収性物品の短手方向に沿った方向の長さ及びその位置と対応する、一対の有色部材の相互間の長さ及びその位置を目印として、止着手段をおむつの所定部位に正確に止着することができ、使用性を向上させることができる。
【００２０】
また、請求項４に記載の吸収性物品によれば、表面シート、第１部分、第２部分、及び第３部分にて吸収体を収容可能な構造にすることができ、排泄物が当該吸収性物品の外部に漏洩することを防止することができる。
【００２１】
また、請求項５に記載の吸収性物品によれば、一対の有色部材が、吸収体における当該吸収性物品の長手方向の両端部を略覆うので、装着者から排泄される液状の排泄物を吸収体における当該吸収性物品の長手方向の中央部に集中的に吸収させることができ、液状の排泄物の吸収率を高める使用が一層可能になる。
【００２２】
また、請求項６に記載の吸収性物品によれば、有色部材が吸収体の平面中央部以外の部分を略覆うので、装着者から排泄される液状の排泄物を吸収体の中央部に集中的に吸収させることができ、液状の排泄物の吸収率を高める使用が一層可能になる。
【００２３】
また、請求項７に記載の吸収性物品によれば、有色部材を、親水性不織布、紙、又は、弾性部材にて形成しているので、状況に応じた材質にて形成することができる。
【００２４】
また、請求項８に記載の吸収性物品によれば、当該吸収性物品を、当該吸収性物品における短手方向に沿った中心軸に沿って折り曲げて形成したので、装着者がおむつを履いた状態において、当該吸収性物品をおむつに容易に取り付けることができる。
【００２５】
また、請求項９に記載の吸収性物品によれば、有色部材における当該吸収性物品の中央から当該吸収性物品のいずれか一つの端部側の部分の少なくとも一部を、他の部分とは異なる色としたので、装着者等が有色部材の色に基づいて吸収性物品の位置合わせを容易に行うことができる。
【図面の簡単な説明】
【００２６】
【図１】実施の形態１に係るパンツ型のおむつの構成を示す平面図である。
【図２】図１のパンツ型のおむつが組立てられた状態の正面図である。
【図３】実施の形態１に係る吸収性物品の構成を示す平面図である。
【図４】図３のＡ−Ａ矢視断面図である。
【図５】パンツ型のおむつ装着時の吸収性物品の視認状況を示す図であり、（ａ）はパンツ型のおむつ装着時の装着者の体勢を示す図であり、（ｂ）は（ａ）における吸収性物品の視認状況を示す図である。
【図６】実施の形態２に係る吸収性物品の構成を示す平面図である。
【図７】図６のＢ−Ｂ矢視断面図である。
【図８】パンツ型のおむつ装着時の吸収性物品の視認状況を示す図である。
【図９】実施の形態３に係る吸収性物品の構成を示す平面図である。
【図１０】図９のＣ−Ｃ矢視断面図である。
【図１１】パンツ型のおむつ装着時の吸収性物品の視認状況を示す図である。
【発明を実施するための形態】
【００２７】
以下に添付図面を参照して、この発明に係る吸収性物品、及びおむつの各実施の形態を詳細に説明する。最初に、吸収性物品、及びおむつの全体構成を説明し、次に、吸収性物品の装着方法を説明し、次いで吸収性物品の製造方法について説明し、最後に各実施の形態に対する変形例について説明する。ただし、各実施の形態によって本発明が限定されるものではない。
【００２８】
〔実施の形態１〕
最初に、実施の形態１について説明する。この形態は、有色部材が、吸収体における当該吸収性物品の短手方向の両端部を略覆うように、当該有色部材を一対配置した形態である。
【００２９】
（構成）
実施の形態１に係るおむつの適用対象又は種類は任意である。例えば、おむつの適用対象としては、幼児用おむつ、大人用おむつ、ペット用おむつ等が挙げられる。また、おむつの種類としては、トランクス型のおむつ、パンツ型のおむつ等が挙げられる。以下では、装着する対象者を大人として、排泄物を捕捉するために着用される大人用パンツ型のおむつ（以下、パンツ型のおむつと称す）に適用した場合を例として説明を行う。
【００３０】
図１は、実施の形態１に係るパンツ型のおむつの構成を示す平面図である。図２は、図１のパンツ型のおむつが組立てられた状態の正面図である。なお、以下の説明では、図１のＸ方向を短手方向、Ｙ方向を長手方向、図１に示す形状を平面形状とする。図１、図２に示すように、パンツ型のおむつ１は、おむつ本体２に対して吸収性物品１０を固定して構成されている。なお、おむつ本体２の側面のうち、装着者の肌面に対向する側の側面をおむつ内側面と称し、装着者の肌面に対向する側とは反対側の側面をおむつ外側面と称する（後述する外装シート３、おむつ吸収体４、吸収性物品１０の側面も同様とする）。
【００３１】
（構成−おむつ本体）
おむつ本体２は、パンツ型のおむつ１の基本構造体である。このおむつ本体２は、外装シート３と、おむつ吸収体４と、伸縮材５とを備えて構成されている。また、このおむつ本体２は、装着者の腹側を覆う前側胴周り部２ａと、装着者の背側を覆う後側胴周り部２ｂと、前側胴周り部２ａと後側胴周り部２ｂとの相互間に設けられた股下部２ｃであって、装着者の股下側を覆う股下部２ｃとに区分されている。
【００３２】
（構成−おむつ本体−外装シート）
外装シート３は、おむつ吸収体４を保持するための保持手段である。具体的には、図１に示すように、外装シート３は、外側シート３ａと、内側シート３ｂとを備えて構成されている。
【００３３】
外側シート３ａは、おむつ本体２の外部を覆うシートである。具体的には、図１に示すように、外側シート３ａは、平面形状を略砂時計形状とするシート状体であり、撥水性の化学繊維の不織布で形成されている。また、この外側シート３ａは、前側胴周り部２ａ、後側胴周り部２ｂ、及び股下部２ｃにわたって設けられている。
【００３４】
内側シート３ｂは、パンツ型のおむつ１を装着した時に、装着者の肌側に当たるシートである。具体的には、図１に示すように、内側シート３ｂは、平面形状を外側シート３ａと相似形状（略砂時計形状）とするシート状体であり、撥水性の化学繊維の不織布で形成されている。また、この内側シート３ｂは、前側胴周り部２ａ、後側胴周り部２ｂ、及び股下部２ｃにわたって設けられており、外側シート３ａに対して少なくともその一部を接着剤又は溶着等によって固定されている。
【００３５】
（構成−おむつ本体−おむつ吸収体）
おむつ吸収体４は、パンツ型のおむつ１において排泄物を吸収するものである。具体的には、図１に示すように、おむつ吸収体４は、外装シート３の平面形状よりも小さい平面形状であって、長尺状に形成されている。また、このおむつ吸収体４は、股下部２ｃにわたって設けられており、裏面材４ａと、表面材４ｂと、吸収体４ｃと、立体ギャザー４ｄとを備えて構成されている。
【００３６】
裏面材４ａは、液状の排泄物を透過しない非透過手段である。具体的には、図１に示すように、裏面材４ａは、平面形状を略方形状とするシート状体であり、液状の排泄物を透過しない材質、例えば、ポリエチレン等の合成樹脂材等で形成されている。また、この裏面材４ａは、内側シート３ｂのおむつ内側面に配置されており、この内側シート３ｂに対して少なくともその一部を接着剤又は溶着等によって固定されている。
【００３７】
表面材４ｂは、液状の排泄物を透過する透過手段である。具体的には、図１に示すように、表面材４ｂは、平面形状を裏面材４ａと相似形状（略方形状）とするシート状体であり、液状の排泄物を透過する材質、例えば、親水性を有する化学繊維の不織布で形成されている。また、表面材４ｂは、裏面材４ａのおむつ内側面に配置されており、裏面材４ａに対して少なくともその一部を接着剤又は溶着等によって固定されている。
【００３８】
吸収体４ｃは、表面材４ｂを透過した液状の排泄物を吸収するおむつ吸収手段である。具体的には、図１に示すように、吸収体４ｃは、平面形状を略砂時計形状とするシート状体であり、液状の排泄物を吸収する材質、例えば、パルプ繊維等の親水性繊維、又は、高分子材料を原料とする親水性化学繊維、又は、前記親水性繊維と粒状の高吸収性ポリマー（ＳＡＰ（Ｓｕｐｅｒ  Ａｂｓｏｒｂｅｎｔ  Ｐｏｌｙｍｅｒ））等の高吸収性材料とを組み合わせたもので形成されている。また、この吸収体４ｃは、裏面材４ａと表面材４ｂとの相互間に挟持されており、裏面材４ａ又は表面材４ｂに対して少なくともその一部を接着剤又は溶着等によって固定されている。
【００３９】
立体ギャザー４ｄは、排泄物がおむつ本体２外に漏洩することを防止する漏洩防止手段である。具体的には、図１に示すように、立体ギャザー４ｄは、公知の立体ギャザーを用いて構成されており、表面材４ｂ（又は裏面材４ａ）のＸ方向の両端部に配置され、表面材４ｂ（又は裏面材４ａ）に対して接着剤又は溶着等により固定されている。
【００４０】
（構成−おむつ本体−伸縮材）
伸縮材５は、おむつ本体２を伸縮させるための伸縮手段である。具体的には、図１に示すように、伸縮材５は、天然ゴムや合成ゴム等の弾性部材で形成された略細長の線状体又は棒状体である。また、この伸縮材５は、前側胴周り部２ａ、及び後側胴周り部２ｂに複数設けられており、外側シート３ａと内側シート３ｂとの相互間に挟持され、当該伸縮材５を伸長させた状態で外側シート３ａ又は内側シート３ｂに対して接着剤又は溶着等によって固定されている。
【００４１】
（構成−吸収性物品）
図３は、実施の形態１に係る吸収性物品１０の構成を示す平面図である。図４は、図３のＡ−Ａ矢視断面図である。吸収性物品１０は、装着者から排泄される排泄物を捕捉するためのものである。具体的には、図１、図３、図４に示すように、吸収性物品１０は、おむつ吸収体４の平面形状よりも小さい平面形状であって、長尺状に形成されており、おむつ吸収体４と同様に、股下部２ｃにわたって設けられている。
【００４２】
また、この吸収性物品１０は、表面シート２０と、裏面シート３０と、吸収体４０と、有色部材５０ａ、５０ｂと、ティシュー６０と、止着部材７０ａ、７０ｂと、立体ギャザー８０とを備えて構成されている。
【００４３】
（構成−吸収性物品−表面シート）
表面シート２０は、装着者の肌と当接するものである。具体的には、図３、図４に示すように、表面シート２０は、平面形状を略方形状とするシート状体であり、液状の排泄物を透過する材質、例えば、親水性を有する不織布にて形成されている。
【００４４】
また、この表面シート２０の材質については、装着者が吸収性物品１０を装着した際に、表面シート２０が装着者の肌に当接することから、当該表面シート２０は肌触りに優れた材質で形成されることが好ましく、例えば、表面シート２０は、ポリエチレン、ポリプロピレン、ポリエステル、ナイロン等の単繊維、またはポリエチレン、ポリプロピレン、ポリエステル、ナイロン等の複合繊維等の、より柔軟性の高い不織布にて形成されることが好ましい。
【００４５】
（構成−吸収性物品−裏面シート）
裏面シート３０は、液状の排泄物を透過しないものである。具体的には、図３、図４に示すように、裏面シート３０は、フィルム体であり、液状の排泄物を透過しない材質、例えば、ポリエチレン等の合成樹脂材等で形成されている。また、この裏面シート３０は、表面シート２０よりも、おむつ吸収体４の表面材４ｂにおけるおむつ内側面側に配置されている。また、この裏面シート３０は、第１部分３０ａと、第２部分３０ｂと、第３部分３０ｃとを備えている。
【００４６】
第１部分３０ａは、吸収性物品１０がパンツ型のおむつ１に取り付けられた際に、おむつ吸収体４の表面材４ｂと当接するものである。具体的には、図３、図４に示すように、第１部分３０ａは、平面形状を表面シート２０よりも大きな形状にて形成されており、表面シート２０と間隔を隔てて並設されている。
【００４７】
第２部分３０ｂは、表面シート２０のＸ方向の左端部と隣接するものである。具体的には、図３、図４に示すように、第２部分３０ｂは、平面形状を方形状にて形成されている。また、この第２部分３０ｂは、第１部分３０ａよりも表面シート２０側に設けられ、表面シート２０のＸ方向の左端部と隣接する位置に配置されており、表面シート２０に対して接着剤又は溶着によって固定されている。そして、この第２部分３０ｂは、当該第２部分３０ｂと表面シート２０とが相互に平行となるように、第１部分３０ａから当該第２部分３０ｂに至る第４部分３０ｄを介して第１部分３０ａと接続されている。
【００４８】
第３部分３０ｃは、表面シート２０のＸ方向の右端部と隣接するものである。具体的には、図３、図４に示すように、第３部分３０ｃは、平面形状を方形状にて形成されている。また、この第３部分３０ｃは、第１部分３０ａよりも表面シート２０側に設けられており、表面シート２０のＸ方向の右端部と隣接する位置に配置されており、表面シート２０に対して接着剤又は溶着によって固定されている。そして、この第３部分３０ｃは、当該第３部分３０ｃと表面シート２０とが相互に平行となるように、第１部分３０ａから第３部分３０ｃに至る第５部分３０ｅを介して第１部分３０ａと接続されている。
【００４９】
（構成−吸収性物品−吸収体）
吸収体４０は、液状の排泄物を吸収するものである。具体的には、図３、図４に示すように、吸収体４０は、平面形状を第１部分３０ａと略同形状とするシート状体であり、液状の排泄物を吸収する材質、例えば、パルプ繊維等の親水性繊維、又は、高分子材料を原料とする親水性化学繊維、又は、前記親水性繊維と粒状の高吸収性ポリマー（ＳＡＰ（Ｓｕｐｅｒ  Ａｂｓｏｒｂｅｎｔ  Ｐｏｌｙｍｅｒ））等の高吸収性材料とを組み合わせたもので形成されている。また、この吸収体４０は、表面シート２０及び第１部分３０ａと重なり合うように、表面シート２０と第１部分３０ａとの相互間に設けられており、第１の吸収体４０ａと、第２の吸収体４０ｂとを備えている。
【００５０】
第１の吸収体４０ａは、表面シート２０を透過した液状の排泄物を吸収するものである。具体的には、図４に示すように、第１の吸収体４０ａは、平面形状を長尺の略砂時計形状にて形成されており、これら第２部分３０ｂ及び第３部分３０ｃと重なり合うように、第２部分３０ｂ及び第３部分３０ｃと間隔を隔てて並設されている。
【００５１】
また、第２の吸収体４０ｂは、第１の吸収体４０ａを透過した液状の排泄物を吸収するものである。具体的には、図４に示すように、第２の吸収体４０ｂは、平面形状を第１の吸収体４０ａよりも小さな形状であって、長尺の略方形状にて形成されており、第１の吸収体４０ａよりも第１部分３０ａ側の位置であって、第１の吸収体４０ａと平行状に隣接する位置に配置され、第１の吸収体４０ａに対して接着剤又は溶着によって固定されている。
【００５２】
（構成−吸収性物品−有色部材）
有色部材５０ａ、５０ｂは、表面シート２０における装着者の排泄孔（例えば、尿道口や肛門等）を当接させる部分でない部分であることを表示するための表示手段である。具体的には、図３、図４に示すように、有色部材５０ａ、５０ｂは、シート状体にて形成されており、第２部分３０ｂ（又は第３部分３０ｃ）と第１の吸収体４０ａとの相互間に設けられ、第２部分３０ｂ（又は第３部分３０ｃ）、又は第１の吸収体４０ａに対して少なくともその一部を接着剤又は溶着によって固定されている。
【００５３】
また、この有色部材５０ａ、５０ｂの材質については、液状の排泄物を透過することができるように、例えば、親水性を有する不織布にて形成されている。あるいは、これに限られず、例えば、紙（具体的には和紙等）、又は弾性部材（具体的には天然ゴム、合成ゴム等）にて形成されてもよい。
【００５４】
（構成−吸収性物品−ティシュー）
ティシュー６０は、吸収性物品１０の製造時において、吸収体４０を構成するパルプを設備内で搬送するためのものである。具体的には、図４に示すように、ティシュー６０は、平面形状を第２の吸収体４０ｂと略同一の形状にて形成されたシート状体であり、不織布、又はティシューペーパーにて形成されている。また、このティシュー６０は、第２の吸収体４０ｂと第１部分３０ａとの相互間に設けられており、これら第２の吸収体４０ｂ及び第１部分３０ａと平行状に隣接する位置に配置され、これら第２の吸収体４０ｂ及び第１部分３０ａに対して接着剤又は溶着によって固定されている。
【００５５】
（構成−吸収性物品−止着部材）
止着部材７０ａ、７０ｂは、吸収性物品１０をおむつ吸収体４の表面材４ｂに止着させるための止着手段である。具体的には、図４に示すように、止着部材７０ａ、７０ｂは、平面形状を略方形状にて形成された板状体であり、止着部材７０ａは、裏面シート３０のおむつ外側面における前側胴周り部２ａ側に配置されており、止着部材７０ｂは、裏面シート３０のおむつ外側面における後側胴周り部２ｂ側に配置されている。また、これら止着部材７０ａ、７０ｂは、裏面シート３０に対して接着剤又は溶着等によって固定されている。また、これら止着部材７０ａ、７０ｂの構成については、例えば、おむつ吸収体４の表面材４ｂと着脱可能に止着される止着材（例えば、粘着シール、フック材等）にて構成されている。
【００５６】
（構成−吸収性物品−立体ギャザー）
立体ギャザー８０は、排泄物が吸収性物品１０外に漏洩することを防止する漏洩防止手段である。具体的には、図３、４に示すように、立体ギャザー８０は、公知の立体ギャザーを用いて構成されており、表面シート２０（又は裏面シート３０）のＸ方向の両端部のＸ方向の両端部に配置され、表面シート２０（又は裏面シート３０）に対して接着剤又は溶着等により固定されている。
【００５７】
（構成−吸収性物品−有色部材の構成について）
ここで、吸収性物品１０の有色部材５０ａ、５０ｂの構成においては、下記に示す工夫が施されている。以下、これら有色部材５０ａ、５０ｂの構成について説明する。図５は、パンツ型のおむつ１装着時の吸収性物品１０の視認状況を示す図であり、（ａ）はパンツ型のおむつ１装着時の装着者の体勢を示す図であり、（ｂ）は（ａ）における吸収性物品１０の視認状況を示す図である。
【００５８】
上述したように、有色部材５０ａは、第２部分３０ｂと第１の吸収体４０ａとの相互間に設けられており、有色部材５０ｂは、第３部分３０ｃと第１の吸収体４０ａとの相互間に設けられているので、これら有色部材５０ａ、５０ｂは、表面シート２０に覆われることになる。このような有色部材５０ａ、５０ｂの配置状況においても、装着者等が有色部材５０ａ、５０ｂを視認できるように、これら有色部材５０ａ、５０ｂは構成されている。
【００５９】
具体的には、図３に示すように、この有色部材５０ａ、５０ｂは、装着者等が有色部材５０ａ、５０ｂを当該表面シート２０を介して視認可能となるように、表面シート２０の色とは異なる色に彩色されている。ここで、有色部材５０ａ、５０ｂの色の種類については、表面シート２０よりも目立つ色が好ましく、例えば、青色、緑色、又はオレンジ色等が該当する。このような構成により、図５（ａ）、（ｂ）に示すように、装着者がいす等に座っている体勢でパンツ型のおむつ１を装着する際に、装着者は、有色部材５０ａ、５０ｂを目印として、表面シート２０における装着者の排泄孔を当接させる部分とそうでない部分とを容易に識別することができる。そして、表面シート２０における装着者の排泄孔を当接させる部分でない部分は、有色部材５０ａ、５０ｂと対応していることからすると、液状の排泄物の吸収率を高める使用が可能であることを維持しながら、当該部分に付着された排泄物を容易に視認することができる。
【００６０】
なお、このような構成において、吸収性物品１０の表面シート２０側から見た場合の吸収性物品１０の全面積に対する有色部材５０ａ、５０ｂの面積の割合については、装着者等が有色部材５０ａ、５０ｂを容易に視認できるように、例えば、２０％以上８０％以下の範囲であることが望ましい。
【００６１】
（構成−吸収性物品−有色部材の配置について）
上述したように、この有色部材５０ａ、５０ｂが、表面シート２０の色とは異なる色に彩色されたことに伴い、有色部材５０ａ、５０ｂの配置についても、吸収性物品１０の吸収性能を考慮して、下記に示す工夫が施されている。以下、この有色部材５０ａ、５０ｂの配置について説明する。
【００６２】
例えば、表面シート２０のＸ方向の中央部が装着者の排泄孔を当接させる部分である場合には、装着者の排泄孔から排泄された液状の排泄物が吸収性物品１０のＸ方向の中央部からＸ方向の端部に向かう方向に沿って拡散したとしても、この拡散した液状の排泄物を吸収性物品１０から漏洩することなく、吸収体４０全体に吸収させることができる。これにより、吸収性物品１０に関する液状の排泄物の吸収率を高める使用が一層可能になる。そこで、実施の形態１では、表面シート２０のＸ方向の中央部が装着者の排泄孔を当接させる部分であり、表面シート２０のＸ方向の両端部が装着者の排泄孔を当接させる部分でないことを、装着者等が容易に認識できるように、有色部材５０ａ、５０ｂは配置されている。
【００６３】
具体的には、図３、図４、図５（ｂ）に示すように、有色部材５０ａ、５０ｂが吸収体４０のＸ方向の両端部を略覆うように、これら有色部材５０ａ、５０ｂは配置されている。より具体的には、有色部材５０ａは、第２部分３０ｂと第１の吸収体４０ａとの相互間に設けられており、第２部分３０ｂ及び第１の吸収体４０ａに平行状に隣接している。また、有色部材５０ｂは、第３部分３０ｃと第１の吸収体４０ａとの相互間に設けられており、第３部分３０ｃ及び第１の吸収体４０ａに平行状に隣接している。そしてさらに、図４に示すように、式（１）〜式（４）の要件を満たすように、これら有色部材５０ａ、５０ｂは配置されている。
【００６４】
Ｗ４＜Ｗ１＜Ｗ／２・・・式（１）
Ｗ５＜Ｗ２＜Ｗ／２・・・式（２）
Ｗ３＞０・・・式（３）
Ｗ６＞０・・・式（４）
【００６５】
ここで、Ｗは吸収性物品１０のＸ方向に沿った方向の長さ、Ｗ１は吸収性物品１０のＸ方向の左端部から有色部材５０ａの内側端部に至る長さ、Ｗ２は吸収性物品１０のＸ方向の右端部から有色部材５０ｂの内側端部に至る長さ、Ｗ３は有色部材５０ａの内側端部から有色部材５０ｂの内側端部に至る長さ、Ｗ４は吸収性物品１０のＸ方向の左端部から第２部分３０ｂの内側端部に至る長さ、Ｗ５は吸収性物品１０のＸ方向の右端部から第３部分３０ｃの内側端部に至る長さ、Ｗ６は第２部分３０ｂの内側端部から第３部分３０ｃの内側端部に至る長さを示す。このような配置により、装着者等は、有色部材５０ａ、５０ｂ（特に、第２部分３０ｂの内側端部から有色部材５０ａの内側端部に至る部分（図４に示すＷ１−Ｗ４の部分）、及び第３部分３０ｃの内側端部から有色部材５０ｂの内側端部に至る部分（図４に示すＷ２−Ｗ５の部分））を表面シート２０を介して視認することができるので、装着者から排泄される液状の排泄物を吸収体４０のＸ方向の中央部に集中的に吸収させることができる。
【００６６】
（構成−吸収性物品−止着部材の形状及び配置について）
上述したように、有色部材５０ａ、５０ｂが吸収体４０のＸ方向の両端部を略覆うように、これら有色部材５０ａ、５０ｂが配置されたことに伴って、止着部材７０ａ、７０ｂの形状及び配置についても、吸収性物品１０におけるパンツ型のおむつ１への取り付けを正確に行えるように、下記に示す工夫が施されている。以下、この止着部材７０ａ、７０ｂの形状及び配置について説明する。
【００６７】
上述したように、止着部材７０ａ、７０ｂが裏面シート３０のおむつ外側面に設けられていることからすると、例えば、図５（ａ）に示す体勢で、装着者がパンツ型のおむつ１に吸収性物品１０を取り付ける場合に、装着者は、止着部材７０ａ、７０ｂを直に見ながら、これら止着部材７０ａ、７０ｂをパンツ型のおむつ１の所定部位に止着することが難しくなる。そこで、装着者が止着部材７０ａ、７０ｂを直に見ることができなくても、これら止着部材７０ａ、７０ｂをパンツ型のおむつ１の所定部位に正確に止着することができるように、止着部材７０ａ、７０ｂの形状及び配置がなされている。
【００６８】
具体的には、図３、図４、図５（ｂ）に示すように、止着部材７０ａ、７０ｂの形状については、止着部材７０ａ、７０ｂのＸ方向に沿った方向の長さが、有色部材５０ａ、５０ｂの相互間の長さ（より具体的には、図４に示すＷ３）と略同一になるように、止着部材７０ａ、７０ｂは形成されている。また、止着部材７０ａ、７０ｂの配置については、止着部材７０ａ、７０ｂのＸ方向に沿った方向の左端部が、有色部材５０ａにおける内側端部と裏面シート３０に略直交する方向に沿って対応する位置（より具体的には、図４に示す吸収性物品１０のＸ方向の左端部から距離Ｗ１離れた位置）になると共に、止着部材７０ａ、７０ｂのＸ方向に沿った方向の右端部が、有色部材５０ｂにおける内側端部と裏面シート３０に略直交する方向に沿って対応する位置（より具体的には、図４に示す吸収性物品１０のＸ方向の右端部から距離Ｗ２離れた位置）になるように、止着部材７０ａ、７０ｂが裏面シート３０に配置されている。このような形状及び配置により、装着者が止着部材７０ａ、７０ｂを直に見ることができなくても、当該装着者は、止着部材７０ａ、７０ｂのＸ方向に沿った方向の長さ及びその位置と対応する、有色部材５０ａ、５０ｂの相互間の長さ及びその位置を目印として、止着部材７０ａ、７０ｂをパンツ型のおむつ１の所定部位に正確に止着することができる。
【００６９】
（吸収性物品の装着方法）
次に、上述した吸収性物品１０の装着方法について説明する。この吸収性物品１０の装着方法としては、最初に、装着者は、図５（ａ）に示す体勢で、止着部材７０ａ、７０ｂによって、吸収性物品１０をパンツ型のおむつ１に取り付ける。ここで、止着部材７０ａ、７０ｂをパンツ型のおむつ１に止着する際には、有色部材５０ａ、５０ｂの相互間の長さ及びその位置を目印として、止着部材７０ａ、７０ｂの位置決めを行うことにより、止着部材７０ａ、７０ｂをパンツ型のおむつ１の所定部位に正確に止着することができる。
【００７０】
次に、吸収性物品１０が取り付けられたおむつ本体２を装着者にあてがうために、後側胴周り部２ｂを装着者の背側を覆うように当接し（あるいは、吸収性物品１０を介して当接し）、前側胴周り部２ａを装着者の腹側を覆うように当接し（あるいは、吸収性物品１０を介して当接し）、さらに、股下部２ｃを、装着者の股下側を覆うように当接する（あるいは、吸収性物品１０を介して当接する）。
【００７１】
（吸収性物品の製造方法）
次に、上述した吸収性物品１０の製造方法について説明する。この吸収性物品１０の製造方法については、ティシュー６０、第２の吸収体４０ｂ、第１の吸収体４０ａ、有色部材５０ａ、５０ｂ、裏面シート３０、表面シート２０、立体ギャザー８０、止着部材７０ａ、７０ｂの順に、これら部材を重ね合わせていく。また、これと併せて、ティシュー６０と第２の吸収体４０ｂ、第２の吸収体４０ｂと第１の吸収体４０ａ、第１の吸収体４０ａと有色部材５０ａ、５０ｂ、有色部材５０ａ、５０ｂと裏面シート３０、裏面シート３０と表面シート２０、立体ギャザー８０と表面シート２０（又は裏面シート３０）、そして裏面シート３０と止着部材７０ａ、７０ｂを接着剤又は溶着等によって順次接続していく。これにて、図３、図４に示す吸収性物品１０が製造される。
【００７２】
なお、この吸収性物品１０が包装される際の形態については任意であるが、吸収性物品１０をコンパクトに包装でき、且つ、装着者がパンツ型のおむつ１を履いた状態において、吸収性物品１０を当該パンツ型のおむつ１に容易に取り付けることができるように、例えば、吸収性物品１０は、後述する表面シート２０の一部と後述する表面シート２０の他の一部とが相互に対向するように、当該吸収性物品１０におけるＸ方向に沿った中心軸に沿って折り曲げた状態で保持されている。あるいは、これに限られず、吸収性物品１０は、図３に示すようなフラットな形態であってもよい。
【００７３】
（実施の形態１の効果）
このように実施の形態１によれば、表面シート２０と吸収体４０との相互間に設けられた有色部材５０ａ、５０ｂであって、装着者等が当該有色部材５０ａ、５０ｂを当該表面シート２０を介して視認可能となるように、表面シート２０の色とは異なる色の有色部材５０ａ、５０ｂを備えているので、装着者等は、吸収性物品１０の表面シート２０側から、有色部材５０ａ、５０ｂを目印として、表面シート２０における装着者の排泄孔を当接させる部分とそうでない部分とを容易に識別することができる。よって、表面シート２０における装着者の排泄孔を当接させる部分が有色部材５０ａ、５０ｂと対応していない場合には、液状の排泄物の吸収率を高める使用が可能であることを維持しながら、当該部分に付着された排泄物を容易に視認することができる。
【００７４】
また、有色部材５０ａ、５０ｂが、吸収体４０のＸ方向の両端部を略覆うように、当該有色部材５０ａ、５０ｂを配置したので、装着者から排泄される液状の排泄物を吸収体４０のＸ方向の中央部に集中的に吸収させることができ、液状の排泄物の吸収率を高める使用が一層可能になる。
【００７５】
また、止着部材７０ａ、７０ｂのＸ方向に沿った方向の長さが、有色部材５０ａ、５０ｂの相互間の長さと略同一になるように、止着部材７０ａ、７０ｂを形成し、止着部材７０ａ、７０ｂのＸ方向に沿った方向の左端部が、有色部材５０ａにおける内側端部と裏面シート３０に略直交する方向に沿って対応する位置になると共に、止着部材７０ａ、７０ｂのＸ方向に沿った方向の右端部が、有色部材５０ｂにおける内側端部と裏面シート３０に略直交する方向に沿って対応する位置になるように、止着部材７０ａ、７０ｂを裏面シート３０に配置したので、装着者等が止着部材７０ａ、７０ｂを直に見ることができなくても、当該装着者等は、止着部材７０ａ、７０ｂのＸ方向に沿った方向の長さ及びその位置と対応する、有色部材５０ａ、５０ｂの相互間の長さ及びその位置を目印として、止着部材７０ａ、７０ｂをパンツ型のおむつ１の所定部位に正確に止着することができ、使用性を向上させることができる。
【００７６】
また、有色部材５０ａ、５０ｂを、親水性不織布、紙、又は、弾性部材にて形成したので、状況に応じた材質にて形成することができる。
【００７７】
また、表面シート２０の一部と表面シート２０の他の一部とが相互に対向するように、吸収性物品１０を、当該吸収性物品１０におけるＸ方向に沿った中心軸に沿って折り曲げて形成したので、吸収性物品１０コンパクトに包装でき、且つ、装着者がパンツ型のおむつ１を履いた状態において、吸収性物品１０を当該パンツ型のおむつ１に容易に取り付けることができる。
【００７８】
〔実施の形態２〕
次に、実施の形態２について説明する。この形態は、有色部材が、吸収体における当該吸収性物品の長手方向の両端部を略覆うように、当該有色部材を一対配置した形態である。なお、実施の形態１と略同様の構成要素、装着方法、及び製造方法については、必要に応じて、実施の形態１で用いたのと同一の符号又は名称を付してその説明を省略する。
【００７９】
（構成−吸収性物品）
図６は、実施の形態２に係る吸収性物品の構成を示す平面図である。図７は、図６のＢ−Ｂ矢視断面図である。図８は、パンツ型のおむつ１装着時の吸収性物品の視認状況を示す図である。図６、図７に示すように、実施の形態２に係る吸収性物品１１０は、実施の形態１の吸収性物品１０とほぼ同様に構成されている。ただし、有色部材５０ａ、５０ｂの配置、及び止着部材７０ａ、７０ｂの配置については、下記に示す工夫が施されている。
【００８０】
（構成−吸収性物品−有色部材の配置について）
有色部材５０ａ、５０ｂの配置については、例えば、表面シート２０のＹ方向の中央部が装着者の排泄孔を当接させる部分である場合には、装着者の排泄孔から排泄された液状の排泄物が吸収性物品１１０のＹ方向の中央部からＹ方向の端部に向かう方向に沿って拡散したとしても、この拡散した液状の排泄物を吸収性物品１１０から漏洩することなく、吸収体４０全体に吸収させることができる。これにより、吸収性物品１１０に関する液状の排泄物の吸収率を高める使用が一層可能になる。そこで、実施の形態２では、表面シート２０のＹ方向の中央部が装着者の排泄孔を当接させる部分であり、表面シート２０のＹ方向の両端部が装着者の排泄孔を当接させる部分でないことを、装着者等が容易に認識できるように、有色部材５０ａ、５０ｂは配置されている。
【００８１】
具体的には、図６〜図８に示すように、有色部材５０ａ、５０ｂが吸収体４０のＹ方向の両端部を略覆うように、これら有色部材５０ａ、５０ｂは配置されている。より具体的には、有色部材５０ａ、５０ｂの各々は、第２部分３０ｂ及び第３部分３０ｃと第１の吸収体４０ａとの相互間に設けられており、第２部分３０ｂ、第３部分３０ｃ、及び第１の吸収体４０ａに平行状に隣接している。そしてさらに、図６に示すように、式（５）〜式（７）の要件を満たすように、これら有色部材５０ａ、５０ｂは配置されている。
【００８２】
０＜Ｌ１＜Ｌ／２・・・式（５）
０＜Ｌ２＜Ｌ／２・・・式（６）
Ｌ３＞０・・・式（７）
【００８３】
ここで、Ｌは吸収性物品１１０のＹ方向に沿った方向の長さ、Ｌ１は吸収性物品１１０のＹ方向の上端部から有色部材５０ｂの内側端部に至る長さ、Ｌ２は吸収性物品１１０のＹ方向の下端部から有色部材５０ａの内側端部に至る長さ、Ｌ３は有色部材５０ａの内側端部から有色部材５０ｂの内側端部に至る長さを示す。このような配置により、装着者等は、有色部材５０ａ、５０ｂ（特に、第２部分３０ｂの内側端部から第３部分３０ｃの内側端部に至る部分）を表面シート２０を介して視認することができるので、装着者から排泄される液状の排泄物を吸収体４０のＹ方向の中央部に集中的に吸収させることができる。
【００８４】
（構成−吸収性物品−止着部材の配置について）
上述したように、有色部材５０ａ、５０ｂが吸収体４０のＹ方向の両端部を略覆うように、これら有色部材５０ａ、５０ｂが配置されたことに伴い、止着部材７０ａ、７０ｂの配置についても、装着者等が止着部材７０ａ、７０ｂを直に見ることができなくても、吸収性物品１１０にパンツ型のおむつ１を正確に取り付けることができるように、下記に示す工夫が施されている。
【００８５】
具体的には、図６、図８に示すように、止着部材７０ａのＹ方向に沿った方向の上端部（又は下端部）が、有色部材５０ａにおける内側上端部と裏面シート３０に略直交する方向に沿って対応する位置（より具体的には、図６に示す吸収性物品１１０のＹ方向の下端部から距離Ｌ２離れた位置）になると共に、止着部材７０ｂのＹ方向に沿った方向の上端部（又は下端部）が、有色部材５０ｂにおける内側端部と裏面シート３０に略直交する方向に沿って対応する位置（より具体的には、図６に示す吸収性物品１１０のＹ方向の上端部から距離Ｌ１離れた位置）になるように、止着部材７０ａ、７０ｂが裏面シート３０に配置されている。これにより、装着者等は、止着部材７０ａ、７０ｂのＹ方向に沿った方向の長さ及びその位置と対応する、有色部材５０ａ、５０ｂの相互間の長さ及びその位置を目印として、止着部材７０ａ、７０ｂをパンツ型のおむつ１の所定部位に正確に止着することができる。
【００８６】
（実施の形態２の効果）
このように実施の形態２によれば、有色部材５０ａ、５０ｂが、吸収体４０のＹ方向の両端部を略覆うように、有色部材５０ａ、５０ｂを配置したので、装着者から排泄される液状の排泄物を吸収体４０のＹ方向の中央部に集中的に吸収させることができ、液状の排泄物の吸収率を高める使用が一層可能になる。
【００８７】
〔実施の形態３〕
次に、実施の形態３について説明する。この形態は、有色部材が吸収体の平面中央部以外の部分を略覆うように、当該有色部材を配置した形態である。なお、実施の形態３と略同様の構成要素については、必要に応じて、実施の形態１で用いたのと同一の符号又は名称を付してその説明を省略する。
【００８８】
（構成−吸収性物品）
図９は、実施の形態３に係る吸収性物品の構成を示す平面図である。図１０は、図９のＣ−Ｃ矢視断面図である。図１１は、パンツ型のおむつ１装着時の吸収性物品の視認状況を示す図である。図９、図１０に示すように、実施の形態３に係る吸収性物品２１０は、実施の形態１の吸収性物品１０の構成要素に対して、有色部材５０ａ、５０ｂに代えて一枚の有色部材５０として構成されている。また、止着部材７０ａ、７０ｂの配置については、止着部材７０ａ、７０ｂが有色部材５０と重なり合うように配置されている。また、有色部材５０の配置については、下記に示す工夫が施されている。
【００８９】
（構成−吸収性物品−有色部材の配置について）
有色部材５０の配置については、例えば、表面シート２０の中央部が装着者の排泄孔を当接させる部分である場合には、装着者の排泄孔から排泄された液状の排泄物が吸収性物品２１０の中央部からＸ方向の端部（又はＹ方向の端部）に向かう方向に沿って拡散したとしても、この拡散した液状の排泄物を吸収性物品２１０から漏洩することなく、吸収体４０全体に吸収させることができる。これにより、吸収性物品２１０に関する液状の排泄物の吸収率を高める使用が一層可能になる。そこで、実施の形態３では、表面シート２０の中央部が装着者の排泄孔を当接させる部分であり、表面シート２０の中央部以外の部分が装着者の排泄孔を当接させる部分でないことを、装着者等が容易に認識できるように、有色部材５０は配置されている。
【００９０】
具体的には、図９〜図１１に示すように、有色部材５０が吸収体４０の中央部以外の部分を略覆うように、この有色部材５０は配置されている。より具体的には、有色部材５０は、平面形状を中央に貫通孔（例えば、円形孔や方形孔等）を有する略方形形状にて形成されており、第２部分３０ｂ及び第３部分３０ｃと第１の吸収体４０ａとの相互間に設けられ、第２部分３０ｂ、第３部分３０ｃ、及び第１の吸収体４０ａに平行状に隣接している。そしてさらに、図９、図１０に示すように、有色部材５０におけるＹ方向の内側上端部から当該Ｙ方向の内側下端部に至る部分については、上述した式（１）〜式（４）の要件を満たし、有色部材５０におけるＹ方向の外側上端部から当該Ｙ方向の内側上端部に至る部分、及び有色部材５０におけるＹ方向の外側下端部から当該Ｙ方向の内側下端部に至る部分については、上述した式（５）〜式（７）の要件を満たすように、この有色部材５０は配置されている。
【００９１】
ここで、Ｗ、Ｗ４〜Ｗ６、及びＬは、実施の形態１に示すＷ、Ｗ４〜Ｗ６と、実施の形態２に示すＬと同様であるため、その説明を省略する。また、Ｗ１は吸収性物品２１０のＸ方向の左端部から有色部材５０のＸ方向の内側左端部に至る長さ、Ｗ２は吸収性物品２１０のＸ方向の右端部から有色部材５０のＸ方向の内側右端部に至る長さ、Ｗ３は有色部材５０のＸ方向の内側左端部から有色部材５０のＸ方向の内側右端部に至る長さ、Ｌ１は吸収性物品２１０のＹ方向の上端部から有色部材５０のＹ方向の内側上端部に至る長さ、Ｌ２は吸収性物品２１０のＹ方向の下端部から有色部材５０のＹ方向の内側下端部に至る長さ、Ｌ３は有色部材５０のＹ方向の内側上端部から有色部材５０のＹ方向の内側下端部に至る長さを示す。このような配置により、装着者等は、有色部材５０を表面シート２０を介して視認することができるので、装着者から排泄される液状の排泄物を吸収体４０の平面中央部に集中的に吸収させることができる。
【００９２】
（実施の形態３の効果）
このように実施の形態３によれば、有色部材５０が吸収体４０の平面中央部以外の部分を略覆うように、当該有色部材５０を配置したので、装着者から排泄される液状の排泄物を吸収体４０の中央部に集中的に吸収させることができ、液状の排泄物の吸収率を高める使用が一層可能になる。
【００９３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００９４】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、装着者等が有色部材を表面シート２０を介して視認しづらい場合であっても、有色部材を視認できる構造を、従来とは異なる技術により構築できている場合には、本願発明の課題が解決されている。
【００９５】
（おむつ吸収体、吸収体、吸収性物品、第１の吸収体、及び第２の吸収体の平面形状について）
上記実施の形態１〜３では、おむつ吸収体４、吸収性物品、第１の吸収体４０ａ、及び第２の吸収体４０ｂの平面形状が長尺状であると説明したが、例えば、短尺状であってもよい。
【００９６】
また、上記実施の形態１〜３では、吸収体４ｃ、及び第１の吸収体４０ａの平面形状が略砂時計状であると説明したが、例えば、略方形状であってもよい。
【００９７】
また、上記実施の形態１〜３では、第２の吸収体４０ｂの平面形状は、第１の吸収体４０ａよりも小さな形状であると説明したが、例えば、第１の吸収体４０ａと略同一の形状であってもよい。この場合において、ティシュー６０の平面形状は、第２の吸収体４０ｂの形状と略同一の形状にしてもよい。
【００９８】
（裏面シートについて）
上記実施の形態１〜３では、裏面シート３０は、第１部分３０ａと、第２部分３０ｂと、第３部分３０ｃと、第４部分３０ｄと、第５部分３０ｅとを備えていると説明したが、例えば、第２部分３０ｂ、第３部分３０ｃ、第４部分３０ｄ、及び第５部分３０ｅを省略してもよい。この場合において、表面シート２０のＸ方向の左端部は、裏面シート３０のＸ方向の左端部に対して接着剤又は溶着等により固定され、表面シート２０のＸ方向の右端部は、裏面シート３０のＸ方向の右端部に対して接着剤又は溶着等により固定される。
【００９９】
（吸収体について）
上記実施の形態１〜３では、吸収体４０は、二層構造である（具体的には、第１の吸収体４０ａと、第２の吸収体４０ｂとを備えている）と説明したが、例えば、単層構造であってもよく、あるいは、二層構造よりも多い多層構造であってもよい。
【０１００】
（有色部材について）
上記実施の形態１〜３では、有色部材は、第２部分３０ｂ（又は第３部分３０ｃ）と第１の吸収体４０ａとの相互間に設けられると説明したが、例えば、第２部分３０ｂ（又は第３部分３０ｃ）と表面シート２０との相互間に設けられてもよい。この場合において、有色部材は、第２部分３０ｂ（又は第３部分３０ｃ）と表面シート２０に対して接着剤又は溶着によって固定される。
【０１０１】
また、上記実施の形態１〜３では、有色部材の色は、青色、緑色、又はオレンジ色等であると説明したが、例えば、装着者等が有色部材の色に基づいて吸収性物品の位置合わせを容易に行えるように、有色部材が二色以上で構成されてもよい。例えば、装着者が吸収性物品のいずれか一つの端部の位置を特定可能となるように、前記有色部材における当該吸収性物品の中央から当該吸収性物品のいずれか一つの端部側の部分の少なくとも一部を、他の部分とは異なる色としてもよい。具体的には、実施の形態１の場合において、吸収性物品１０のＹ方向の上端部側が装着者の腹側に当接され、且つ、吸収性物品１０のＹ方向の下端部側が装着者の背側に当接されないと、装着者が吸収性物品１０を正しく装着することができない場合（例えば、夜用の吸収性物品において、当該吸収性物品におけるＹ方向に沿った方向の長さが比較的長く設定されている場合等）には、有色部材５０ａの色を、吸収性物品１０のＸ方向の左端部であることを特定する色（例えば青色等）とし、有色部材５０ｂの色を、吸収性物品１０のＸ方向の右端部であることを特定する色（例えばオレンジ色等）としてもよい（実施の形態２、３についても同様とする。なお、実施の形態３については、例えば、有色部材５０のＸ方向（又はＹ方向）に沿った中心軸を境界部分として色分けをする）。
【０１０２】
（ティシュー及び止着部材について）
上記実施の形態１〜３では、吸収性物品は、ティシュー６０と、止着部材７０ａ、７０ｂとを備えていると説明したが、例えば、ティシュー６０と、止着部材７０ａ、７０ｂとを省略してもよい。
【０１０３】
（その他の吸収性物品の構造、装着方法、及び製造方法について）
その他、吸収性物品の構造、装着方法、及び製造方法については、上記説明した技術的思想に逸脱しない範囲で、任意に変更することが可能である。
【符号の説明】
【０１０４】
１  パンツ型のおむつ
２  おむつ本体
２ａ  前側胴周り部
２ｂ  後側胴周り部
２ｃ  股下部
３  外装シート
３ａ  外側シート
３ｂ  内側シート
４  おむつ吸収体
４ａ  裏面材
４ｂ  表面材
４ｃ、４０  吸収体
４ｄ、８０  立体ギャザー
５  伸縮材
１０、１１０、２１０  吸収性物品
２０  表面シート
３０  裏面シート
３０ａ  第１部分
３０ｂ  第２部分
３０ｃ  第３部分
３０ｄ  第４部分
３０ｅ  第５部分
４０ａ  第１の吸収体
４０ｂ  第２の吸収体
５０、５０ａ、５０ｂ  有色部材
６０  ティシュー
７０ａ、７０ｂ  止着部材
【図１】
2014000143.tif 000003
【図２】
2014000143.tif 000004
【図３】
2014000143.tif 000005
【図４】
2014000143.tif 000006
【図５】
2014000143.tif 000007
【図６】
2014000143.tif 000008
【図７】
2014000143.tif 000009
【図８】
2014000143.tif 000010
【図９】
2014000143.tif 000011
【図１０】
2014000143.tif 000012
【図１１】
2014000143.tif 000013